(57)【要約】【課題】クラブの出し入れが簡便にできるものでありながら、ゴルフバッグ内への雨の浸入を確実に防止する。【解決手段】本発明のゴルフバッグ用の傘１はゴルフバッグ２に備えられた開口２ａに基端側が挿し込み可能とされた中棒６と、中棒６の先端側に設けられると共にゴルフバッグ２の開口２ａを覆うことを可能とする雨避け部５と、を備えたゴルフバッグ用の傘１であって、中棒６は、ゴルフバッグ２に挿し込まれる中棒下部６Ｄと、雨避け部５が設けられた中棒上部６Ｕと、中棒下部６Ｄに対して中棒上部６Ｕが屈曲可能となるように、中棒下部６Ｄと中棒上部６Ｕとを連結する連結部７と、を有していることを特徴とする。【選択図】図３
2019129896.tif 000002
【特許請求の範囲】
【請求項１】
ゴルフバッグに備えられた開口に基端側が挿し込み可能とされた中棒と、前記中棒の先端側に設けられると共に前記ゴルフバッグの開口を覆うことを可能とする雨避け部と、を備えたゴルフバッグ用の傘であって、
前記中棒は、前記ゴルフバッグに挿し込まれる中棒下部と、
前記雨避け部が設けられた中棒上部と、
前記中棒下部に対して中棒上部が屈曲可能となるように、前記中棒下部と中棒上部とを連結する連結部と、を有している
ことを特徴とするゴルフバッグ用の傘。
【請求項２】
前記連結部は、
前記中棒下部をゴルフバッグに挿し込んだ状態で、前記ゴルフバッグの開口よりも上方となる位置に設けられている
ことを特徴とする請求項１に記載のゴルフバッグ用の傘。
【請求項３】
前記連結部は、巻回直径が前記中棒の直径と略等しくなるつるまきばねからなる
ことを特徴とする請求項１または２に記載のゴルフバッグ用の傘。
【請求項４】
前記雨避け部は、前記中棒上部に上下方向に揺動自在に連結された複数の親骨と、前記複数の親骨に貼り付けられた傘布と、を有しており、前記複数の親骨を中棒に対して上下揺動させることで前記傘布が広がる構成とされており、
前記広げられた傘布の下端と同じ高さに、前記連結部が位置していることを特徴とする請求項１〜３のいずれかに記載のゴルフバッグ用の傘。
【請求項５】
前記雨避け部は、前記傘布を開いた場合の直径が、前記ゴルフバッグの開口径よりも大きくなる構成とされていることを特徴とする請求項４に記載のゴルフバッグ用の傘。
【請求項６】
前記中棒上部は、前記中棒下部の長さの１／４〜１／５の長さとされている
ことを特徴とする請求項１〜５のいずれかに記載のゴルフバッグ用の傘。
【発明の詳細な説明】
【技術分野】
【０００１】
本発明は、ゴルフバッグの内部に雨が吹き込むことを防止可能なゴルフバッグ用の傘に関するものである。
【背景技術】
【０００２】
従来より、ゴルフ場のコースに代表される屋外のフィールドにおいて、ゴルフバッグを用いてゴルフを行う場合、突然の雨などでゴルフバッグの内部が濡れないように配慮することが求められる。というのも、防水を考えて作製されているとはいえ、一部のウッドやアイアンなどのクラブは腐食しやすい金属や木材で形成されており、水分を嫌うものであるし、バッグ内にはシューズやウェアのような濡れては困るものも収容される為である。
【０００３】
それゆえ、一般的なゴルフバッグには、屋外でプレーした際にバッグ内部に雨などが入り込まないように、クラブの取り出し口、言い換えればゴルフバッグの開口を覆うカバーなどを設けることが多い。
例えば、特許文献１には、ゴルフバッグの開口を上方から覆うフードを備え、フードで覆われたさらに内側に、クラブのヘッドを包容するヘッド包容筒状体を備えたゴルフバッグが記載されている。特許文献１のゴルフバッグは、ヘッド包容筒状体とフードで、収容されたゴルフクラブを２重に覆うようになっており、ゴルフバッグの内部への雨の吹き込みを防止可能となっている。
【０００４】
また、特許文献２には、バッグ本体の開口を上方から覆うキャップと、キャップに一体形成されたキャップトラベルカバーとを有するゴルフバッグが開示されている。特許文献２のゴルフバッグに設けられるキャップやキャップトラベルカバーには、締め紐８１や開閉ジッパー１２が設けられており、この締め紐８１や開閉ジッパー１２を用いることで、ゴルフバッグの内部への雨の吹き込みを防止可能となっている。
【０００５】
さらに、特許文献３には、ゴルフバッグ２６の首２４の周囲で付着され折りたたまれた条件で位置可能なゴルフバッグ２６のための除去可能なゴルフクラブカバー２０を備えたゴルフバッグが記載されている。この特許文献３のゴルフクラブカバー２０は、ジッパー４０を用いて左右に分離できるようになっており、ジッパー４０を用いてゴルフクラブカバー２０を開いたり閉じたりすることで、ゴルフバッグの内部への雨の吹き込みを防止しつつ自由にクラブを取り出し可能となっている。
【先行技術文献】
【特許文献】
【０００６】
【特許文献１】特開２０１７−００６４０６号公報
【特許文献２】特開２００６−２３０６７５号公報
【特許文献３】特開平１１−０４７３２７号公報
【発明の概要】
【発明が解決しようとする課題】
【０００７】
ところで、特許文献１〜特許文献３のゴルフバッグは、キャップ、フード、あるいはカバーなどでクラブのヘッドを覆う構造となっており、クラブを使用する際はジッパーなどでキャップやフードを開いて、収容されたクラブをバッグの中から取り出す構成となっている。
しかし、このようなジッパーなどの開閉手段を用いると、クラブを取り出したり仕舞ったりする際に、度々ジッパーを開閉する動作が必要となり、ゴルフバッグの使い勝手が大きく損なわれる。
【０００８】
特に、グリーンやバンカーの周りでは頻繁にクラブを替える場合があり、クラブの出し入れに手間がかかるのはゴルフバッグとして大きな短所となる。
本発明は、上述の問題に鑑みてなされたものであり、ゴルフバッグ内に収容されたクラブの出し入れを簡便に行うことができるものでありながら、ゴルフバッグの内側に雨が入り込むことを確実に防止できるゴルフバッグ用の傘を提供することを目的とする。
【課題を解決するための手段】
【０００９】
上記課題を解決するため、本発明のゴルフバッグ用の傘は以下の技術的手段を講じている。
即ち、本発明のゴルフバッグ用の傘は、ゴルフバッグに備えられた開口に基端側が挿し込み可能とされた中棒と、前記中棒の先端側に設けられると共に前記ゴルフバッグの開口を覆うことを可能とする雨避け部と、を備えたゴルフバッグ用の傘であって、前記中棒は、前記ゴルフバッグに挿し込まれる中棒下部と、前記雨避け部が設けられた中棒上部と、前記中棒下部に対して中棒上部が屈曲可能となるように、前記中棒下部と中棒上部とを連結する連結部と、を有していることを特徴とする。
【００１０】
なお、好ましくは、前記連結部は、前記中棒下部をゴルフバッグに挿し込んだ状態で、前記ゴルフバッグの開口よりも上方となる位置に設けられているとよい。
なお、好ましくは、前記連結部は、巻回直径が前記中棒の直径と略等しくなるつるまきばねからなるとよい。
なお、好ましくは、前記雨避け部は、前記中棒上部に上下方向に揺動自在に連結された複数の親骨と、前記複数の親骨に貼り付けられた傘布と、を有しており、前記複数の親骨を中棒に対して上下揺動させることで前記傘布が広がる構成とされており、前記広げられた傘布の下端と同じ高さに、前記連結部が位置しているとよい。
【００１１】
なお、好ましくは、前記雨避け部は、前記傘布を開いた場合の直径が、前記ゴルフバッグの開口径よりも大きくなる構成とされているとよい。
なお、好ましくは、前記中棒上部は、前記中棒下部の長さの１／４〜１／５の長さとされているとよい。
【発明の効果】
【００１２】
本発明のゴルフバッグ用の傘によれば、ゴルフバッグの内側に雨が入り込むことを防止できるものでありながら、ゴルフバッグ内に収容されたクラブの出し入れも簡便に行うことができる。
【図面の簡単な説明】
【００１３】
【図１】本実施形態の傘が挿し込まれているゴルフバッグを示した図である。
【図２】本実施形態の傘をグリップ側から見た場合の図である。
【図３】傘により雨の吹き込みを防止している傘の状態を拡大して示した図である。
【図４】クラブを抜き取る際の傘の状態を拡大して示した図である。
【発明を実施するための形態】
【００１４】
以下、本発明のゴルフバッグ用の傘１の実施形態を、図面に基づき詳しく説明する。
図１は、本実施形態のゴルフバッグ用の傘１が挿し込まれたゴルフバッグ２、言い換えれば本実施形態の傘１の使用態様を模式的に示したものである。
図１に示すように、本実施形態のゴルフバッグ用の傘１は、ゴルフバッグ２に備えられた開口２ａに基端側（グリップ側）を挿し込んで、傘布３が取り付けられた先端側（石突き１５側）を開口２ａから出すようにして使用される構成となっている。
【００１５】
上述した傘１が挿し込まれるゴルフバッグ２は、キャディーバッグとも言われ、長尺な有底筒状に形成されている。筒状に形成されたゴルフバッグ２の内部は、仕切り板などで複数に区切られており、区切られたそれぞれの箇所にゴルフクラブ４を基端側（グリップ側）から挿入可能となっている。
なお、本実施形態の場合であれば、ゴルフバッグ２の側面には、ゴルフバッグ２を持ち上げる際に便利なように側方に張り出た把持部２ｂが設けられている。また、ゴルフバッグ２を担いで移動する際に便利なようにベルト２ｃが取り付けられている。このベルト２ｃは、ゴルフバッグ２によっては両肩に掛けられるように２本設けられていても良い。さらに、把持部２ｂの反対側に位置するゴルフバッグ２の側面には、ゴルフバッグ２を起立した状態で床面や芝面などに載置可能とするスタンド２ｄが（本実施形態の場合であれば２本）設けられている。なお、本実施形態のゴルフバッグ２は練習場などで用いられる軽量で取り回しが楽なコンパクトサイズのものであるが、本発明のゴルフバッグ２にはコースなどでカートに乗せて用いられる堅牢で大容量なビッグサイズのものであっても良い。
【００１６】
またゴルフバッグ２にゴルフクラブ４を挿し込む場合には、図３及び図４に示すように、ゴルフクラブ４のヘッド４ａがゴルフバッグ２の開口２ａから少しバッグの外に飛び出るようにして、ゴルフクラブ４をゴルフバッグ２内に挿し込む。これは、ボールをショットする際に重要となるヘッド４ａを傷つけないようにするためである。
次に、本実施形態のゴルフバッグ用の傘１の構成について説明する。
【００１７】
図１に示すように、本実施形態のゴルフバッグ用の傘１は、ゴルフバッグ２の開口２ａに挿し込んで、雨避け部５で開口２ａを覆うことにより、ゴルフバッグ２内部への雨水の浸入を防止可能なものとなっている。
なお、図１に示すように、本実施形態の傘１は、一般的な傘と比べると雨避け部５の外観が丸みを帯びたドーム形状（半球状）に形成された「ドーム傘」といわれる傘となっている。本実施形態の傘１にこのようなドーム傘を用いるのは、開き径が小さいドーム傘は、同じく開口径の小さなゴルフバッグ２の開口２ａを覆うに適しているからである。なお、ドーム傘が好ましいとはいえ、本発明のゴルフバッグ用の傘１には、ドーム傘以外の傘、例えばドーム傘よりも曲率半径が大きな傘を用いても良い。
【００１８】
具体的には、図１及び図２に示すように、本実施形態のゴルフバッグ用の傘１はゴルフバッグ２の開口２ａに挿し込み可能とされた中棒６と、中棒６の先端側に設けられると共にゴルフバッグ２の開口２ａを覆うことを可能とする雨避け部５と、を備えている。さらに、中棒６は、中棒上部６Ｕ、中棒下部６Ｄ、及び中棒上部６Ｕと中棒下部６Ｄとを連結する連結部７の３つの部材を備えており、雨避け部５は、上ろくろ８、親骨９、受骨１０、傘布３、はじき１１などを備えている。
【００１９】
次に、傘１を構成する各部材について説明する。
図２に示すように、中棒６は、金属や硬質なプラスチックで長尺棒状に形成されている。本実施形態の傘１は、一般的な傘に比べて、中棒６の長さが長いものとなっている。例えば、一般的な傘であれば、折り畳んだ状態では傘布３（雨避け部）の長さよりも少し長くなる程度に中棒６は形成されることが多い。しかし、本実施形態のゴルフバッグ用の傘１は、折り畳んだ状態でも傘布３の長さの３倍程度の長さに中棒６が形成されており、雨避け部５のサイズからすると中棒６が相対的に長いものとなっている。
【００２０】
具体的には、中棒６の先端側には上述した雨避け部５（ドーム傘部）が設けられており、中棒６の基端側には使用者が握るためのグリップ１２が形成されている。この中棒６のグリップ１２は、例えば人工皮革のテープを巻き回して形成されたものであり、ゴルフクラブ４のグリップと同じような外観を採用している。このように一見するとゴルフクラブ４のグリップと見間違うような外観に形成されることで、本実施形態の傘１はゴルフプレーヤに興味を沸かせるようなデザインとなっている。
【００２１】
また、上述したように、中棒６は、長手方向の中途側で３つの部材に分かれて形成されている。つまり、中棒６は、雨避け部５が設けられた先端側に配備される中棒上部６Ｕと、グリップ１２が形成された他端に配備された中棒下部６Ｄと、中棒上部６Ｕと中棒下部６Ｄとを連結する連結部７との３部材を備えている。
中棒上部６Ｕは、中棒下部６Ｄの長さの１／４〜１／５の長さとされている。言い換えれば、中棒上部６Ｕの長さと中棒下部６Ｄの長さの比は、１：３〜１：４となるようになっている。このように中棒上部６Ｕの長さを中棒下部６Ｄの１／４〜１／５の長さとすれば、中棒下部６Ｄの長さが中棒上部６Ｕに比して十分に長いものとなり、ゴルフバッグ２の内部に基端側を挿し込んだ場合でも、連結部７がゴルフバッグ２の開口２ａより上方に位置するようになるため、雨避け部５を側方に退行させてゴルフバッグ２の開口２ａからゴルフクラブ４を上方に抜き出そうとした場合にも、雨避け部５がゴルフバッグ２の開口２ａに当たることがなく、ゴルフクラブ４のスムーズな取り出しが可能となる。
【００２２】
具体的には、パターを除くゴルフクラブ４は、規則により長さが規定されており、一般には１８インチ以上（４５０ｍｍ以上）、４８インチ以下（１２００ｍｍ以下）とされている。また、プレーヤの体格を考えれば、市販されるゴルフクラブ４には３２インチ（８００ｍｍ）〜４６インチ（１１５０ｍｍ）までのものがよく用いられる。そのため、上述した寸法のゴルフクラブ４に対応できるように、ゴルフバッグ２の内側は開口２ａから内底まで例えば６００ｍｍ〜９００ｍｍ程度の内寸に形成されていることが多い。
【００２３】
つまり、上述した連結部７がゴルフバッグ２の開口２ａより上方に位置するとは、中棒下部６Ｄの長さをゴルフバッグ２の内寸よりやや長い７００ｍｍ〜１０００ｍｍ、中棒上部６Ｕを１７０ｍｍ〜３００ｍｍ程度に加工することに他ならない。
なお、中棒上部６Ｕと中棒下部６Ｄとの間には、両部材６Ｕ、６Ｄを屈曲可能に連結する連結部７が設けられている。なお、この連結部７については、後述する。
【００２４】
雨避け部５（ドーム傘部）は、傘布３を開いたり閉じたりできる部分でありゴルフバッグ２内部に対する雨の降り込みを防止可能な部分となっている。
具体的には、雨避け部５は、上述した中棒上部６Ｕの上端に固定状態で取り付けられた上ろくろ８と、この上ろくろ８に対して上下方向に揺動自在に且つ周方向に所定の間隔をあけて連結された複数の親骨９と、これら複数の親骨９に張り付けられた傘布３と、を備えている。この親骨９の先端には、傘布３を伝ってきた雨水を傘外部に落とす露先１４が設けられている。また、上述した複数の親骨９の長手方向中途側には、親骨９を揺動させる受骨１０の一端が取り付けられている。さらに、受骨１０の親骨９と連結されていない側の端部（他端）は、上述した上ろくろ８の下方に設けられた下ろくろ１３に揺動自在に連結されている。そして、この下ろくろ１３は、中棒６に対して、長手方向に移動自在に取り付けられている。
【００２５】
上述した雨避け部５は、傘布３を広げた場合（傘１を開いた場合）の直径が、ゴルフバッグ２の開口径よりも大きいものとされている。つまり、広げた雨避け部５の外縁は、ゴルフバッグ２の開口縁よりも外方に位置している。そのため、雨避け部５に当たった雨水は、傘布３を伝って露先１４からゴルフバッグ２の外側に落ち、ゴルフバッグ２の内側に浸水することはない。
【００２６】
つまり、上述した中棒６に対して下ろくろ１３を先端側（グリップ１２とは反対側）に向かって移動させると、下ろくろ１３に連結された受骨１０が中棒６に対して起立するように揺動し、受骨１０が長手方向の中途側に連結された親骨９を押し上げるように動くため、親骨９も中棒６に対して起立する方向に揺動し、親骨９に張り付けられた傘布３を広げる、すなわち傘１を開くことが可能となる。
【００２７】
また、上述した中棒６に対して下ろくろ１３を基端側（グリップ１２側）に向かって移動させると、傘布３を広がる場合とは反対の手順で、傘布３をしぼむように折り畳むことが可能となる。
さらに、上述した中棒６の先端には、石突き１５が取り付けられている。この本実施形態の傘１の石突き１５は、ゴルフボールのような外観をしており、グリップ１２同様にゴルファーの興味や購買意欲をかき立てるようなデザインとなっている。
【００２８】
連結部７は、中棒下部６Ｄと中棒上部６Ｕとを連結する部材であり、人の手で中棒下部６Ｄに対して中棒上部６Ｕを最大で９０°程度の角度まで自由に折り曲げられるようになっている。また、本実施形態の場合であれば、連結部７は、巻回直径が中棒６の直径と略等しくなるつるまきばねで形成されている。
具体的には、本実施形態のつるまきばねは、直径１．５ｍｍ程度のバネ鋼線を、１５ｍｍの巻径で螺旋状に２５回に亘って巻き回したものであり、長手方向に６０ｍｍ程度の長さを備えている。このようなつるまきばねを連結部７に用いれば、ゴルフクラブ４をゴルフバッグから取り出す際には、中棒６を簡単に折り曲げて雨避け部５をゴルフバッグ２の開口２ａから退かすことができ、雨避け部５が邪魔になることなくゴルフクラブ４をスムーズにバッグから取り出すことが可能となる。
【００２９】
また、ゴルフクラブ４を取り出した後は、中棒６から手を離すようにすれば、つるまきばねの復元力により中棒６が直線状態に自動的に復帰し、ゴルフクラブ４の開口を雨避け部５で素早く覆うことができるのでゴルフバッグ２の内部の水濡れを確実に防止可能となる。
さらに、上述した連結部７は、広げられた状態の傘布３の下端と同じ高さになる位置に配設されているのが好ましい。このような位置に連結部７を設ければ、広げられた状態の傘布３がゴルフバッグ２の開口２ａに接触しにくくなり、ゴルフクラブ４をスムーズに取り出すことが可能となる。
【００３０】
次に、上述したゴルフバッグ用の傘１を用いてゴルフバッグ２の内部に雨の降り込みを防止する方法、言い換えれば本発明のゴルフバッグ用の傘１の使用方法について説明する。
まずゴルフバッグ２への雨水の降り込みを防止する場合には、下ろくろ１３を中棒６に沿って先端側に移動させ、親骨９を中棒６から離れる方向に揺動させる。そうすると、揺動する親骨９に沿って傘布３も広がり、傘布３を開くことができる。やがて、傘布３が撓み無く広がったら、下ろくろ１３を中棒６にはじき１１を用いて固定し、傘１を開いた状態に固定する。
【００３１】
次に、傘布３が開いた状態にある傘１の中棒６を、基端側（グリップ１２側）からゴルフバッグ２の中に挿入する。
このとき、図３に示すように、本実施形態の傘１では、中棒下部６Ｄが７００ｍｍ〜１０００ｍｍ、中棒上部６Ｕが１７０ｍｍ〜３００ｍｍ程度に加工されているため、連結部７はゴルフバッグ２の開口２ａより５ｃｍ〜１０ｃｍ程度外に飛び出た位置になる。そして、本実施形態の傘１では、連結部７と開いた傘布３の下端とが同じ高さに位置するようになっており、傘布３を開いた場合の直径がゴルフバッグ２の開口径よりも大きくなる構成とされている。
【００３２】
そのため、図４に示すように、中棒下部６Ｄに対して中棒上部６Ｕを手で掴んで折り曲げても、開いた傘布３がゴルフバッグ２の開口２ａに接触することはなく、雨避け部５をゴルフバッグ２の開口２ａから側方に退行させて、図中の矢印の方向に沿ってゴルフバッグ２の内部からゴルフクラブ４をスムーズに取り出すことが可能となる。
また、中棒上部６Ｕを掴んでいた手を離せば、連結部７のつるまきばねの復元力で、中棒下部６Ｄに対して中棒上部６Ｕが直線上に並ぶようになるため、雨避け部５でゴルフバッグ２の開口２ａを覆って雨水の浸入を防止し続けることが可能となる。
【００３３】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００３４】
例えば、上述した実施形態の傘１には、中棒６が先端側から基端側にかけて１本の棒部材で構成されたものを挙げた。しかし、本発明の傘１の中棒６は、長手方向に複数の棒部材を継ぎ合わせたものであっても良い。また、本発明の傘１の中棒６は、長手方向に複数の棒部材を振り出し状に伸縮できるものであっても良い。
【符号の説明】
【００３５】
１  ゴルフバッグ用の傘
２  ゴルフバッグ
２ａ  ゴルフバッグの開口
２ｂ  把持部
２ｃ  ベルト
２ｄ  スタンド
３  傘布
４  ゴルフクラブ
４ａ  ゴルフクラブのヘッド
５  雨避け部
６  中棒
６Ｕ  中棒上部
６Ｄ  中棒下部
７  連結部
８  上ろくろ
９  親骨
１０  受骨
１１  はじき
１２  グリップ
１３  下ろくろ
１４  露先
１５  石突き
【図１】
2019129896.tif 000003
【図２】
2019129896.tif 000004
【図３】
2019129896.tif 000005
【図４】
2019129896.tif 000006